(57)【要約】【課題】外箱を開く際の利便性に優れる電子レンジ用包装容器を提供する。【解決手段】外箱２が下に凸に湾曲して発熱シート１０が設置される収納部４０と、上に凸に湾曲して収納部５０の一端に連設されるとともに収納部４０を開閉する蓋部３０と、収納部４０の他端に折り線から成る折返し部１４を介して連設して蓋部３０上に折り返される延設部５とを有し、延設部５が先端から突出して折り線５０により回動可能に形成される開封用フラップ６と、開封用フラップ６と一体に設けられて折返し部１４に向かって延びる係止用フラップ７とを有し、係止用フラップ７を蓋部３０に設けた差込口８に挿入して蓋部３０の閉止状態を保持する【選択図】図１
2015199510.tif 000002
【特許請求の範囲】
【請求項１】
紙基材を含む包装材料から成る外箱と前記外箱内に配してマイクロ波の照射により発熱する発熱シートとを備え、前記発熱シート上に加熱調理用食品を配する電子レンジ用包装容器であって、
前記外箱が下に凸に湾曲して前記発熱シートが設置される収納部と、上に凸に湾曲して前記収納部の一端に連設されるとともに前記収納部を開閉する蓋部と、前記収納部の他端に折り線から成る折返し部を介して連設して前記蓋部上に折り返される延設部と、前記収納部の両側端に折り線を介して連設して前記外箱の両側面を覆う第１側面板と、前記蓋部の両側端に折り線を介して連設して前記外箱の両側面を覆う第２側面板とを有し、
前記延設部が先端から突出して折り線により回動可能に形成される開封用フラップと、前記開封用フラップと一体に設けられて前記折返し部に向かって延びる係止用フラップとを有し、前記係止用フラップを前記蓋部に設けた差込口に挿入して前記蓋部の閉止状態を保持することを特徴とする電子レンジ用包装容器。
【請求項２】
前記係止用フラップの先端の角部が曲線状に形成されていることを特徴とする請求項１の電子レンジ用包装容器。
【請求項３】
前記差込口が略直線状に形成された切込みから成ることを特徴とする請求項１又は請求項２に記載の電子レンジ用包装容器。
【請求項４】
前記差込口が一長辺をミシン目に形成した長孔状のスリットにより形成されることを特徴とする請求項１又は請求項２に記載の電子レンジ用包装容器。
【請求項５】
前記収納部の両側端と第１側面板とを連設する折り線又は前記蓋部の両側端と第２側面板とを連設する折り線は、直線状の頂部を有する半円弧状の曲線から成ることを特徴とする請求項１〜請求項４のいずれかに記載の電子レンジ用包装容器。
【請求項６】
第１側面板が対向する方向と直交する方向において、前記外箱の上面の１／３よりも狭い領域を前記延設部により覆うことを特徴とする請求項１〜請求項５のいずれかに記載の電子レンジ用包装容器。
【請求項７】
前記蓋部が貫通孔を前記蓋部の内面に貼着した２５μｍ以上のポリエチレンテレフタレートフィルムにより覆って形成される開口窓を有することを特徴とする請求項１〜請求項６のいずれかに記載の電子レンジ用包装容器。
【請求項８】
ポリエチレンテレフタレートフィルムが変性酢酸ビニル樹脂もしくはアクリル樹脂を主剤とする水性接着剤を介して前記蓋部に貼着されることを特徴とする請求項７に記載の電子レンジ用包装容器。
【請求項９】
前記発熱シートが紙基材層上に発熱層を積層して形成され、前記発熱シート上に加熱調理用食品が配されることを特徴とする請求項１〜請求項８のいずれかに記載の電子レンジ用包装容器。
【発明の詳細な説明】
【技術分野】
【０００１】
本発明は食品を収容して電子レンジにより加熱調理する電子レンジ用包装容器に関するものである。
【背景技術】
【０００２】
食品を収容して電子レンジにより加熱調理する電子レンジ用包装容器が特許文献１に開示される。この電子レンジ用包装容器は紙基材を含む包装材料から成る外箱と外箱内に配したマイクロ波の照射により発熱する発熱シートとを備える。外箱は下に凸に湾曲する下面板と上に凸に湾曲する上面板を有している。下面板の一端は上面板と連設して他端は上面板の一端に設けられた糊代により貼着され、外箱が筒状に形成されている。
【０００３】
また、上面板には蒸気の排気孔が設けられている。下面板の両側端には曲線の折り線を介して一対の第１側面板が連設され、上面板の両側端には曲線の折り線を介して第２側面板が連設されている。第１側面板及び第２側面板の折り重ねにより外箱の側面部が開閉可能に閉じられている。
【０００４】
食品を収容した電子レンジ用包装容器を電子レンジに入れてマイクロ波を照射することにより、食品が加熱される。このとき、外箱内部の蒸気は排気孔から排気される。また、マイクロ波が発熱シートに照射されることで発熱シートが発熱して食品を加熱する。加熱が終了すると、第１側面板及び第２側面板を開いて食品が取り出される。このとき、外箱内の蒸気は排気されているため、第１、第２側面板を開いた際に噴出した高温の蒸気による手指の火傷を防止することができる。
【先行技術文献】
【特許文献】
【０００５】
【特許文献１】特許４９２２７３７号
【発明の概要】
【発明が解決しようとする課題】
【０００６】
しかしながら、上記従来の電子レンジ用包装容器によると、加熱調理時に発生する蒸気を上面板の切込みから逃す構造になっているものの外箱内部に滞留する蒸気により外箱の外面が高温状態になる。このため、加熱調理後に電子レンジ内から容器を取り出す際や第１側面板及び第２側面板を開き内容物を取り出す際に高温になった外箱を持つこととなる。このとき、触れた手指が火傷する危険があった。したがって、電子レンジから容器を取り出す際に安全に取り扱うことができず、第１側面板及び第２側面板を容易に開くことができないため電子レンジ用包装容器の利便性が悪い問題があった。
【０００７】
本発明は上記問題点に鑑み、利便性を向上できる電子レンジ用包装容器を提供することを目的とする。
【課題を解決するための手段】
【０００８】
上記目的を達成するために本発明は、紙基材を含む包装材料から成る外箱と前記外箱内に配してマイクロ波の照射により発熱する発熱シートとを備え、前記発熱シート上に加熱調理用食品を配する電子レンジ用包装容器であって、前記外箱が下に凸に湾曲して前記発熱シートが設置される収納部と、上に凸に湾曲して前記収納部の一端に連設されるとともに前記収納部を開閉する蓋部と、前記収納部の他端に折り線から成る折返し部を介して連設して前記蓋部上に折り返される延設部と、前記収納部の両側端に折り線を介して連設して前記外箱の両側面を覆う第１側面板と、前記蓋部の両側端に折り線を介して連設して前記外箱の両側面を覆う第２側面板とを有し、前記延設部が先端から突出して折り線により回動可能に形成される開封用フラップと、前記開封用フラップと一体に設けられて前記折返し部に向かって延びる係止用フラップとを有し、前記係止用フラップを前記蓋部に設けた差込口に挿入して前記蓋部の閉止状態を保持することを特徴としている。
【０００９】
また本発明は、上記構成の電子レンジ用包装容器において、前記係止用フラップの先端の角部が曲線状に形成されていることを特徴としている。
【００１０】
また本発明は、上記構成の電子レンジ用包装容器において、前記差込口が略直線状に形成された切込みから成ることを特徴としている。
【００１１】
また本発明は、上記構成の電子レンジ用包装容器において、前記差込口が一長辺をミシン目に形成した長孔状のスリットにより形成されることを特徴としている。
【００１２】
また本発明は、上記構成の電子レンジ用包装容器において、前記収納部の両側端と第１側面板とを連設する折り線又は前記蓋部の両側端と第２側面板とを連設する折り線は、直線状の頂部を有する半円弧状の曲線から成ることを特徴としている。
【００１３】
また本発明は、上記構成の電子レンジ用包装容器において、第１側面板が対向する方向と直交する方向において、前記外箱の上面の１／３よりも狭い領域を前記延設部により覆うことを特徴としている。
【００１４】
また本発明は、上記構成の電子レンジ用包装容器において、前記蓋部が貫通孔を前記蓋部の内面に貼着した２５μｍ以上のポリエチレンテレフタレートフィルムにより覆って形成される開口窓を有することを特徴としている。
【００１５】
また本発明は、上記構成の電子レンジ用包装容器において、ポリエチレンテレフタレートフィルムが変性酢酸ビニル樹脂もしくはアクリル樹脂を主剤とする水性接着剤を介して前記蓋部に貼着されることを特徴としている。
【００１６】
また本発明は、上記構成の電子レンジ用包装容器において、前記発熱シートが紙基材層上に発熱層を積層して形成され、前記発熱シート上に加熱調理用食品が配されることを特徴としている。
【発明の効果】
【００１７】
本発明によると、収納部から折返し部を介して蓋部上に折り返される延設部が先端から突出する開封用フラップと折返し部に向かって延びる係止用フラップとを有する。これにより、蓋部の差込口に係止された係止用フラップが開封用フラップを手指で回動させることにより差込口から外され、蓋部が弾性により開かれた状態となり、加熱調理時に発生し容器内に滞留した蒸気を瞬時に逃がすことで外箱の表面温度を下げることができる。このため、加熱調理後に外箱を把持することなく容易に開封することができるとともに、外箱の表面温度が下がった状態で容器を扱うことができる。これにより、火傷の危険を防止して電子レンジ用包装容器の利便性を向上することができる。また、従来例のように外箱に蒸気の排気口を設ける必要がないため、加熱調理用食品に対して蒸し効果を得ることができる。さらに、蓋部が開かれた状態では、収納部が平らな状態となり皿などへの移し替えが容易となる。
【図面の簡単な説明】
【００１８】
【図１】本発明の第１実施形態に係る電子レンジ用包装容器の斜視図
【図２】本発明の第１実施形態に係る電子レンジ用包装容器の側面断面図
【図３】本発明の第１実施形態に係る発熱シートの層構成を示す断面図
【図４】本発明の第１実施形態に係る電子レンジ用包装容器における外箱の展開図
【図５】本発明の第２実施形態に係る電子レンジ用包装容器における外箱の展開図
【発明を実施するための形態】
【００１９】
［第１実施形態］
以下に本発明の第１実施形態を図面を参照して説明する。図１は本発明の第１実施形態に係る電子レンジ用包装容器１の斜視図であり、図２は電子レンジ用包装容器１の側面断面図である。
【００２０】
電子レンジ用包装容器１（以下、包装容器と略す）は予め調理された加熱調理用食品１１（以下、食品と略す）を収容して、電子レンジによるマイクロ波の照射により食品を加熱調理するための容器である。包装容器１は外箱２と外箱２内に配される発熱シート１０とを備える。
【００２１】
外箱２は紙基材を含む包装材料で形成され、紙基材は２６０ｇ〜４５０ｇ／ｍ２の坪量を有するとともに食品から発生する蒸気及び水分に対する耐水性を有する。具体的には、Ｎ三菱耐水紙（（株）三菱製紙製  坪量３１０ｇ／ｍ２）を用いることができる。また、紙基材の外面には印刷層（不図示、例えばグラビア印刷、オフセット印刷により形成）が設けられている。発熱シート１０は食品１１と面する一方の面に発熱層１０ａを有し、他方の面に紙基材層１０ｂを有する。
【００２２】
外箱２はピラー状に形成され、下に凸に湾曲した収納部４０と上に凸に湾曲した蓋部３０とを有している。蓋部３０は収納部４０の一端から折曲され、収納部４０の上面を開閉する。外箱２の両側面は収納部４０の両側端から折曲される一対の第１側面板４ａ、４ｂ（図４参照）と、蓋部３０の両側端から折曲される一対の第２側面板３ａ、３ｂ（図４参照）とを重ねて覆われる。
【００２３】
収納部４０には折り線５０（図４参照）から成る折返し部１４で蓋部３０上に折り返される延設部５が設けられる。延設部５には先端から突出して折り線５０から成る軸線１５（図４参照）により回動可能に形成される開封用フラップ６が設けられる。開封用フラップ６には折返し部１４に向かって延びる係止用フラップ７が一体に設けられる。
【００２４】
蓋部３０には差込口８が設けられ、係止用フラップ７を差込口８に挿入することにより蓋部３の閉止状態が保持される。
【００２５】
また、蓋部３０には開口窓９が設けられる。使用者は開口窓９を介して食品１１を視認することができる。開口窓９は蓋部３０に形成した貫通孔を蓋部３０の内面に貼着した透明な耐熱性樹脂フィルム９ａにより覆って形成される。耐熱性樹脂フィルム９ａとして２５μｍ以上のポリエチレンテレフタレートフィルムを用いると、開口窓９の強度を向上できるためより好ましい。
【００２６】
また、耐熱性樹脂フィルム９ａは変性酢酸ビニル樹脂またはアクリル樹脂を主剤とする水性接着剤を介して蓋部３０に貼着される。これにより、電子レンジによる加熱時に接着剤の臭い成分が外箱２内に漏れるのを防止することができる。
【００２７】
食品１１を収容した包装容器１は蓋部３０を上方に面して店頭に陳列してもよく、または、収納部４０を上方に面して店頭に陳列してもよい。収納部４０を上方に面して陳列する際には、延設部５が第１側面板４ａ、４ｂ（図４参照）が対向する方向と直交する方向において外箱２の上面の１／３よりも狭い領域を覆うことが好ましい。これにより、開封用フラップ６が外箱２の上面から上方に大きく突出するのを防止することができ、収納部４０を上方に面して包装容器１を安定して陳列棚に載置することができる。
【００２８】
図３は発熱シート１０の層構成を示す断面図である。発熱シート１０は発熱層１０ａと紙基材層１０ｂとが接着剤層１０ｃを介して接着されている。発熱層１０ａはマイクロ波の照射により発熱し、具体的には透過率４０％であって紙基材層１０ｂ側に酸化アルミニウムとアルミニウムとの混合物を蒸着した蒸着層１０ｅを備えるポリエチレンテレフタレートフィルム（例えば、東レフィルム加工（株）製１０１５ＨＴ）から成る。これにより、食品１１と発熱層１０ａが対向して配され、食品１１の表面を高温で加熱することができる。なお、蒸着層１０ｅはアルミニウムのみを蒸着して形成してもよい。
【００２９】
紙基材層１０ｂは２６０ｇ〜４５０ｇ／ｍ２の坪量を有する紙基材（例えば、日本製紙（株）製  ＮＥＷ  ウルトラＨ  坪量３１０ｇ／ｍ２）により形成され、紙基材層１０ｂには切込み１０ｄがミシン目状に形成されている。切込み１０ｄは加熱調理時の発熱により紙基材に含まれる水分を逃すために設けられている。これにより、紙基材に含まれる水分が気化して発泡するのを防ぐことができる。なお、切込み１０ｄは加熱調理時に接着剤層１０ｃが溶出することを防止するため、積層状態（図３参照）において紙基材層面１０ｂから刃を入れ発熱層１０ａに到達しない深さとするのが好ましい。さらに、接着剤層１０ｃに到達しない深さとすることがより好ましい。また、接着剤層１０ｃも変性酢酸ビニル樹脂またはアクリル樹脂を主剤とする水性接着剤（例えば、ＤＩＣグラフィックス（株）製  ハイドリューションＬ−５６１４Ａ）を用いるのが好ましい。これにより、電子レンジによる加熱時に接着剤の臭い成分が外箱２内に漏れるのを防止することができる。
【００３０】
図４は外箱２の展開図を示している。外箱２は折り線５０を介して蓋部３０、収納部４０、延設部５が図中、左右方向に順に連設される。収納部４０の図中、上下端には曲線の折り線５０を介して一対の舟形の第１側面板４ａ、４ｂが連設される。蓋部３０の図中、上下端には曲線の折り線５０を介して一対の舟形の第２側面板３ａ、３ｂが連設される。また、第１側面板４ａ、４ｂの先端には指掛け用切欠き２４ａ、２４ｂが設けられている。使用者は指掛け用切欠き２４ａ、２４ｂに手指を掛けて第１側面板４ａ、４ｂを折り上げられた状態から引き倒すことができる。
【００３１】
また、第１側面板４ａ、４ｂ及び第２側面板３ａ、３ｂを連設する折り線５０は、直線状の頂部を有する半円弧状の曲線から成る。これにより、湾曲する収納部４０及び蓋部３０が形成されるとともに収納部４０及び蓋部３０の頂部が平面状に形成される。したがって、蓋部３０を上方に面しても、収納部４０を上方に面しても包装容器１を安定して陳列棚に載置することができる。
【００３２】
蓋部３０には貫通孔９ｂにより開口窓９が設けられるとともに、開放側の端部に差込口８が設けられる。差込口８は一長辺８ｂをミシン目に形成した長孔状のスリット８ａにより形成され、スリット８ａで切断されたフラップ８ｃの折曲により開口する。
【００３３】
延設部５には開放端から突出する開封用フラップ６が設けられる。開封用フラップ６は折り線５０から成る軸線１５で回動可能に形成される。延設部５上には開封用フラップ６の軸線１５上に両端を配した曲線状のスリット７ａが設けられる。スリット７ａは収納部４０と延設部５との間の折り線５０から成る折返し部１４側に凸に湾曲し、折返し部１４に向かって延びる係止用フラップ７を形成する。開封用フラップ６を軸線１５で回動した際にスリット７ａで切断された係止用フラップ７が開封用フラップ６と一体に回動する。係止フラップ７の先端の両端を曲線状に形成することにより、差込口８への抜き差しを円滑に行うことができる。
【００３４】
差込口８に挿入した係止用フラップ７が折返し部１４に向かって延びる状態において、係止用フラップ７は差込口８の一辺に引っ掛かり、係止される。このとき、差込口８に連設されたフラップ８ｃにより、係止用フラップ７の先端が折返し部１４側へ向くように支持される。これにより、係止用フラップ７が差込口８内に安定して係止され、蓋部３０の閉止状態が保持される。
【００３５】
外箱２は所定の坪量を有する紙基材で構成されており、折り線５０に沿って折り曲げられた蓋部３０と収納部４０及び延設部５と収納部４０は折り曲げる前の形状に戻ろうとする復元力が働く。このため、係止用フラップ７が差込口８から外されると、蓋部３０がこの弾性により開かれる。
【００３６】
包装容器１を電子レンジに入れてマイクロ波照射すれば、マイクロ波が食品１１に直接照射されることで加熱される。また、マイクロ波が発熱シート１０の発熱層１０ａに照射されることで発熱層１０ａが発熱する。発熱層１０ａが高温で発熱し、食品１１の発熱シート１０と対向する面は焼き目が付いてパリッとした食感が得られる。また、食品１１から生じる蒸気は外箱２内に滞留して内部の気圧が上昇する。このため、食品１１は加圧状態で蒸され、内部はふっくらした食感が得られる。
【００３７】
なお、外箱２の内圧が上昇した場合でも、折返し部１４に向かって延びる係止用フラップ７が差込口８の一辺に強く引っ掛かり、安定して係止されるため蓋部３０の閉止状態を保持することができる。また、従来例のように外箱２に蒸気の排気口を設ける必要がないため、食品１１に対して高い蒸し効果を得ることができる。
【００３８】
蓋部３０の差込口８に係止された係止用フラップ７が開封用フラップ６を手指で回動させることにより差込口８から外され、蓋部３０が弾性により開かれる。このため、外箱２を把持することなく容易に開封することができ、火傷の危険を防止して包装容器１の利便性を向上することができる。なお、開封用フラップ６は外箱２内部と接しておらず、外箱２の外面ほど高温状態にならない。なお、蓋部３０が開かれた状態で、加熱調理時に発生した蒸気は瞬時に発散され、包装容器１の外面の温度はそれに伴い低下する。これにより、食品１１を取り出す際にも安全に扱うことができる。更に、蓋部３０が開かれた状態で収容部４０が平らな状態となっており、食品１１を皿などに移し替える作業を容易に行うことができる。
【００３９】
本実施形態によると、収納部４０から折返し部１４を介して蓋部３０上に折り返される延設部５が先端から突出する開封用フラップ６と折返し部１４に向かって延びる係止用フラップ７とを有する。これにより、蓋部３０の差込口８に係止された係止用フラップ７が開封用フラップ６を手指で回動させることにより差込口８から外され、蓋部３０が弾性により開かれる。このため、外箱２を把持することなく容易に開封することができ、火傷の危険を防止して包装容器１の利便性を向上することができる。また、従来例のように外箱２に蒸気の排気口を設ける必要がないため、食品１１に対して蒸し効果を得ることができる。
【００４０】
また、係止用フラップ７の先端の角部が曲線状に形成されていることにより、係止用フラップ７を円滑に差込口８から抜き差しすることができる。
【００４１】
また、差込口８が一長辺８ｂをミシン目に形成した長孔状のスリット８ａにより形成され、スリット８ａで切断されたフラップ８ｃの折曲により開口する。フラップ８ｃにより、係止用フラップ８ａの先端が折返し部１４側へ向けて支持されるため、係止用フラップ７を差込口８内により安定して係止することができる。
【００４２】
また、第１側面板４ａ、４ｂ又は第２側面板３ａ、３ｂを連設する折り線５０は、直線状の頂部を有する半円弧状の曲線から成る。これにより、湾曲する収納部４０又は蓋部３０の頂部が平面状に形成される。したがって、蓋部３０を上方に面する場合又は、収納部４０を上方に面する場合において、包装容器１を安定して陳列棚に載置することができる。
【００４３】
また、第１側面板４ａ、４ｂが対向する方向と直交する方向において、延設部５が外箱２の上面の１／３よりも狭い領域を覆う。これにより、収納部４０を上方に面して包装容器１を安定して陳列棚に載置することができる。
【００４４】
また、蓋部３０の一部に貫通孔を設けるとともに内側から厚さが２５μｍ以上のポリエチレンテレフタレートフィルム９ａを貼着して開口窓９を形成したことにより、使用者は開口窓９から内容物を確認することができる。
【００４５】
また、ポリエチレンテレフタレートフィルム９ａが変性酢酸ビニル樹脂もしくはアクリル樹脂を主剤とする水性接着剤を介して３０蓋部に貼着されることにより、電子レンジによる加熱時に接着剤の臭い成分が外箱２内に漏れるのを防止することができる。
【００４６】
また、発熱シート１０が紙基材層１０ｂ上に発熱層１０ａを積層して形成され、発熱層１０ａ上に食品１１が配されることにより、食品１１の発熱シート１０と対向する面は焼き目が付いてパリッとした食感が得られる。
【００４７】
[第２実施形態]
図４は第２実施形態に係る外箱２の展開図である。説明の便宜上、前述の図１〜３に示す第１実施形態と同様の説明には同一の符号を付している。本実施形態の差込口８は略直線状に形成された切込み８ａから成る。これにより、係止用フラップ７を差込口８に挿入した状態において、差込口８の開口部に係止用フラップ７が挟持されて係止用フラップ７を差込口８に安定して係止することができる。
【産業上の利用可能性】
【００４８】
本発明は、電子レンジ調理用食品を収納する収納容器に利用可能である。
【符号の説明】
【００４９】
１                電子レンジ用包装容器
２                外箱
３ａ、３ｂ        第２側面板
４ａ、４ｂ        第１側面板
５                延設部
６                開封用フラップ
７                係止用フラップ
８                差込口
９                開口窓
１０              発熱シート
１０ａ            発熱層
１０ｂ            紙基材層
１０ｃ            接着剤層
１４              折返し部
３０              蓋部
４０              収納部
５０              折り線
【図１】
2015199510.tif 000003
【図２】
2015199510.tif 000004
【図３】
2015199510.tif 000005
【図４】
2015199510.tif 000006
【図５】
2015199510.tif 000007